(57)【要約】【課題】  概略円形や概略楕円形のレンズを保持するフロント部を備えた眼鏡に限らず、あらゆる形状のレンズを保持したフロント部を備える眼鏡に適用が可能な薄型眼鏡を提供する。【解決手段】  左右のレンズ１２，１２を保持するフロント部１０の両側にツル１１，１１が折畳み出来るように取付けられ、前記ツルを折り畳んだときに前記フロント部と同一平面内で前記フロント部の上縁又は下縁に沿って前記ツルが折り畳まれる眼鏡において、前記フロント部の両側に、前記ツルを折り畳み自在に支持する支持部１３，１３を設け、前記フロント部に保持された左右のレンズの中心を結んだ基線Ｃに直交する軸線に対して、前記ツルを回動させる軸１１ａを傾斜させた。支持部１３を基線Ｃと平行方向にフロント部１０から延出させ、軸１１ａを前記支持部に対して傾斜させて設けてもよい。【選択図】  図１
2015094818.tif 000002
【特許請求の範囲】
【請求項１】
左右のレンズを保持するフロント部の両側にツルが折畳み出来るように取付けられ、前記ツルを折り畳んだときに前記フロント部と同一平面内で前記フロント部の上縁又は下縁に沿って前記ツルが折り畳まれる眼鏡において、
前記フロント部の両側に、前記ツルを折り畳み自在に支持する支持部を設け、
前記フロント部に保持された左右のレンズの中心を結んだ基線と直交する軸線に対して、前記ツルを回動させる軸を傾斜させて前記支持部に設けたこと、
を特徴とする薄型眼鏡。
【請求項２】
前記支持部を前記基線と平行方向に前記フロント部から突出させ、前記軸を前記支持部に対して傾斜させて設けたことを特徴とする請求項１に記載の薄型眼鏡。
【請求項３】
前記フロント部を構成するリムが矩形状又は多角形状であることを特徴とする請求項１又は２に記載の薄型眼鏡。
【請求項４】
前記支持部に前記軸を嵌装する軸孔を形成したことを特徴とする請求項１〜３のいずれかに記載の薄型眼鏡。
【発明の詳細な説明】
【技術分野】
【０００１】
本発明は、ツルを折り畳んだときにレンズを保持するフロント部と同一の平面内に前記ツルが収納される薄型眼鏡に関する。
【背景技術】
【０００２】
この種の薄型眼鏡としては、本願出願人による特許文献１のものが知られている。
この文献に記載の薄型眼鏡は、水平基線に対して下方へ傾斜した傾斜線がリムの接線と交わる位置にブローチを設け、該ブローチに継手を介してツルを回動自在に取り付けるようにしている。そのため、この文献に記載の薄型眼鏡は、略円形か略楕円形のリム、ハーフリム又はレンズを有する眼鏡であることを前提とする。
【先行技術文献】
【特許文献】
【０００３】
【特許文献１】特開２００９−６９３５６号（特許第４８８１２６５号）公報
【発明の開示】
【発明が解決しようとする課題】
【０００４】
しかし、主としてファッション性の観点から、この種の薄型眼鏡として略円形や略楕円形以外に矩形状や多角形状等の種々の薄型眼鏡にも適用したいという要望がある。
本発明はこのような要望に応えるべくなされたもので、概略円形や概略楕円形のレンズを保持するフロント部を備えた眼鏡に限らず、あらゆる形状のレンズを保持したフロント部を備える眼鏡に適用が可能な薄型眼鏡の提供を目的とする。
【課題を解決するための手段】
【０００５】
上記課題を解決するために、請求項１に記載の発明は、左右のレンズを保持するフロント部の両側にツルが折畳み出来るように取付けられ、前記ツルを折り畳んだときに前記フロント部と同一平面内で前記フロント部の上縁又は下縁に沿って前記ツルが折り畳まれる眼鏡において、前記フロント部の両側に、前記ツルを折り畳み自在に支持する支持部を設け、前記フロント部に保持された左右のレンズの中心を結んだ基線と直交する軸線に対して、前記ツルを回動させる軸を傾斜させて前記支持部に設けた構成としてある。
請求項２に記載するように、前記支持部を前記基線と平行方向に前記フロント部から突出させ、前記軸を前記支持部に対して傾斜させて設けてもよい。
このようにすることで、フロント部の側縁が略円形や略楕円形のように傾斜を有しないものであっても、折り畳んだときにツルをフロント部の上又は下側縁に沿って同一平面内に収容させることができる。
本発明は、請求項３に記載するように、前記フロント部の形状が略円形や略楕円形に限らず矩形状や多角形状、不定形状であっても適用が可能である。
また、前記支持部と前記軸とは継ぎ手を介して連結してもよいが、請求項４に記載するように、前記支持部に前記軸を嵌装する軸孔を形成して継ぎ手を不要としてもよい。
【発明を実施するための最良の形態】
【０００６】
以下、本発明の好適な実施形態を、図面を参照しながら詳細に説明する。
［第一の実施形態］
図１は本発明の第一の実施形態にかかり、（ａ）はツルを折り畳んだ状態の薄型眼鏡の正面図、（ｂ）はフロント部の側縁の拡大図、（ｃ）はツルを展開した状態の薄型眼鏡の側面図である。
薄型眼鏡１は、レンズ１２を保持する左右のリム１０ａ，１０ａと、左右のリムリム１０ａ，１０ａを連結するブリッジ１０ｂとを有するフロント部１０と、このフロント部１０の両端に折り畳み自在に取り付けられたツル１１，１１とを有するフルリムタイプのものである。
ツル１１，１１は、フロント部１０の両端から突出して形成された支持部１３，１３の軸孔に、ツル１１，１１の先端の軸１１ａ，１１ａを嵌め込むことで、折り畳み方向に回動自在に軸支されている。智やブローチを支持部１３として利用してもよいし、智やブローチとは別に支持部１３を形成してもよい。
上記したリム１０ａ，１０ａ，ブリッジ１０ｂ及びツル１１，１１は、例えば金属の丸線や平板で形成することができる。
【０００７】
この実施形態において左右のリム１０ａ，１０ａは略矩形状で、リム１０ａ，１０ａに保持される左右のレンズ１２，１２も略矩形状である。そして、左右のレンズ１２，１２の光学中心Ｐを結ぶ基線Ｃに対してツル１１，１１を連結する側縁はほぼ直角に交叉している。支持部１３，１３は、図１（ｂ）の拡大図に示すように、リム１０ａからの延出方向と同方向の軸線Ｌが傾斜角θで基線Ｃに対して下方に傾斜している。また、支持部１３，１３の軸線Ｌに対してツル１１，１１の回動軸はほぼ直角に設けられていることから、前記回動軸は基線Ｃに直交する軸線に対して傾斜角θで傾斜することになる。
【０００８】
この傾斜角θは、ツル１１，１１を回動させることで、折り畳んだときにツル１１，１１をフロント部１０の上縁に位置させ、かつ、折り畳まれたツル１１，１１がフロント部１０とが実質的に同一の平面内に収容される角度である。
なお、折り畳んだときに左右のつるの一部が交叉することになることが、つるは針金状又は薄板状に形成されていることから、当該交叉部分も「実質的に同一平面内」とみなすものとする。また、凹レンズや凸レンズには多少の膨らみがあることからフロント部は平面にはならないが、レンズの膨らみの範囲内であれば、「実質的に平面」とみなすものとする。
【０００９】
上記構成により、左右のツル１１，１１を折り畳み方向に回動させると、図１（ａ）に示すようにツル１１，１１がフロント部１０の上縁に沿った状態でフロント部１０と実質的に同一の平面内に収容される。
【００１０】
［第二の実施形態］
図２は本発明の第二の実施形態にかかり、（ａ）はツルを折り畳んだ状態の薄型眼鏡の正面図、（ｂ）はフロント部の側縁の拡大図である。
この実施形態において先の実施形態と同一部材、同一部位には同一の符号を付し、詳細な説明は先の実施形態のものを援用する。
この実施形態では、支持部２３，２３の軸線（リム１０ａからの延出方向と同方向の軸線）が基線Ｃと平行になるように設けられている。支持部２３には、レンズの光学中心Ｐを通る基線Ｃと直交する軸線Ｌ′に対して傾斜角θで軸孔が形成され、この軸孔にツル１１の先端の回動軸１１ａが回動自在に嵌入されている。
この実施形態においても、左右のツル１１，１１を折り畳み方向に回動させると、図２（ａ）に示すようにツル１１，１１がフロント部１０の上縁に沿った状態でフロント部１０と実質的に同一の平面内に収容される。
【００１１】
［他の実施形態］
本発明は、フルリム眼鏡に限らず、ハーフリムやリムレス（ツーポイント）眼鏡にも適用が可能である。また、レンズの形状も矩形に限らず、略五角形や略六角形等の多角形、略円形又は楕円形、その他の形状にも適用が可能である。
例えば、図３（ａ）（ｂ）は本発明をハーフリムの薄型眼鏡３，３′に適用した状態を示す正面図でレンズ３２の形状は略六角形である。支持部３３は図３（ａ）に示すように、第一の実施形態と同様に基線Ｃに対して角度θで傾斜して設けられていてもよいし、図３（ｂ）に示すように支持部３３′は第二の実施形態と同様に基線Ｃに対して平行でツル１１の軸が基線Ｃに対して角度θで設けられていてもよい。
また、図４は本発明をリムレスの薄型眼鏡４に適用した状態を示す正面図でレンズ４２の形状は変形六角形である。支持部４３は図４に示すように、第二の実施形態と同様に基線Ｃに対して平行でツル４１の軸が基線Ｃに対して角度θで設けられている。
【００１２】
本発明の好適な実施形態について説明したが、本発明は上記の実施形態に限定されるものではない。
例えば、上記の説明ではフロント部の上縁に沿ってツルを収納するようにしているが、フロント部の下縁に沿ってツルを収納するようにしてもよい。
【産業上の利用可能性】
【００１３】
本発明は、フルリム、ハーフリム、リムレス、ツーポイントなどのいずれの眼鏡にも適用が可能で、フロント部に保持されるレンズの形状も略円形状、略楕円形状、矩形状、略五角形状その他の多角形、不定形状など、あらゆる種類の眼鏡に適用が可能である。また、金属に限らず樹脂やその他の材質の眼鏡にも適用が可能である。
【図面の簡単な説明】
【００１４】
【図１】本発明の第一の実施形態にかかり、（ａ）はツルを折り畳んだ状態の薄型眼鏡の正面図、（ｂ）はフロント部の側縁の拡大図、（ｃ）はツルを展開した状態の薄型眼鏡の側面図である。
【図２】本発明の第二の実施形態にかかり、（ａ）はツルを折り畳んだ状態の薄型眼鏡の正面図、（ｂ）はフロント部の側縁の拡大図である。
【図３】本発明の他の実施形態にかかる薄型眼鏡の右半分の正面図である。
【図４】本発明の他の実施形態にかかる薄型眼鏡の右半分の正面図である。
【符号の説明】
【００１５】
１              薄型眼鏡
１０            フロント部
１０ａ          リム
１０ｂ          ブリッジ
１１            ツル
１２            レンズ
１３            支持部
Ｃ              基線
Ｌ              支持部の軸線
θ              傾斜角
Ｐ              レンズの光学中心
【図１】
2015094818.tif 000003
【図２】
2015094818.tif 000004
【図３】
2015094818.tif 000005
【図４】
2015094818.tif 000006